(57)【要約】【課題】発光ダイオードの残光回路の提供。【解決手段】本発光ダイオードの残光回路は切り換え式パワーアダプタの出力端に接続された発光ダイオードモールに接続され、該発光ダイオードの残光回路の特徴は、ダイオード、コンデンサ、ツェナダイオード、抵抗器及び発光ダイオード残光モールを包含する。該ダイオードのアノードは該発光ダイオードモールに接続され、該コンデンサは該ダイオードのカソードに接続され、該ツェナダイオードは該ダイオードのカソードに接続され、且つ該ツェナダイオードはさらに該コンデンサと並列に接続され、該抵抗器は該ダイオードのカソードに接続され、且つ該抵抗器はさらに該ツェナダイオードと並列に接続され、該発光ダイオード残光モールは該抵抗器に直列に接続される。該切り換え式パワーアダプタの出力端により該発光ダイオードモールの電源が切断された後、本発明は該残光回路の発光ダイオード残光モールにより数秒間から数分間の残光を提供でき、空間輪郭を照明し、使用者がもともといた空間を離れるのに便利である。【選択図】図１
2013004960.tif 000002
【特許請求の範囲】
【請求項１】
発光ダイオードの残光回路（１２０）（１２１）（１２２）（１２３）（１２４）（１２５）（１２６）（１２７）であって、該発光ダイオードの残光回路（１２０）は、発光ダイオードモール（１０２）に接続され、該発光ダイオードモール（１０２）は切り換え式パワーアダプタ（１０１）の出力端に接続された、該発光ダイオードの残光回路（１２０）において、
アノードで該発光ダイオードモール（１０２）に接続されたダイオード（１０３）と、
該ダイオード（１０３）のカソードに接続されたコンデンサ（１０４）と、
該ダイオード（１０３）のカソードに接続されると共に、該コンデンサ（１０４）と並列に接続されたツェナダイオード（１０５）と、
該ダイオード（１０３）のカソードと接続されると共に、該ツェナダイオード（１０５）と並列に接続された抵抗器（１０６）と、
該抵抗器（１０６）に直列に接続された発光ダイオード残光モール（１０７）と、
を包含したことを特徴とする、発光ダイオードの残光回路。
【請求項２】
請求項１記載の発光ダイオードの残光回路（１２１）において、さらに、抵抗器（１０９）、トランジスタ（１１１）、トランジスタ（１１０）及び抵抗器（１１２）を包含し、該抵抗器（１０９）は該ダイオード（１０３）のカソードに接続され、該トランジスタ（１１１）はコレクタで該発光ダイオード残光モール（１０７）に接続され、且つベースで該抵抗器（１０９）に接続され、該トランジスタ（１１０）はコレクタで該トランジスタ（１１１）のベースに接続され且つベースで該トランジスタ（１１１）のエミッタに接続され、該抵抗器（１１２）は該トランジスタ（１１０）のベースに接続されたことを特徴とする、発光ダイオードの残光回路。
【請求項３】
請求項１記載の発光ダイオードの残光回路（１２２）において、さらに、該ダイオード（１０３）のカソードに接続された抵抗器（１０９）、コレクタで該発光ダイオード残光モール（１０７）に接続されると共にベースで該抵抗器（１０９）に接続されたトランジスタ（１１１）、アノードで該トランジスタ（１１１）のベースに接続されたダイオード（１１３）、アノードで該ダイオード（１１３）のカソードに接続されたダイオード（１１４）、及び一端が該トランジスタ（１１１）のエミッタに接続されて別端が該ダイオード（１１４）のカソードに接続されると共に接地された抵抗器（１１２）を包含したことを特徴とする、発光ダイオードの残光回路。
【請求項４】
請求項１記載の発光ダイオードの残光回路（１２３）において、さらに、該ダイオード（１０３）のカソードに接続された抵抗器（１０９）、コレクタで該発光ダイオード残光モール（１０７）に接続されると共にベースで該抵抗器（１０９）に接続されたトランジスタ（１１１）、カソードで該トランジスタ（１１１）のベースに接続されたツェナダイオード（１１５）、及び一端が該トランジスタ（１１１）のエミッタに接続されて別端が該ツェナダイオード（１１５）のアノードに接続されると共に接地された抵抗器（１１２）を包含したことを特徴とする、発光ダイオードの残光回路。
【請求項５】
請求項１記載の発光ダイオードの残光回路（１２４）において、さらに、該ダイオード（１０３）のアノードに接続された変圧器の多次側コイル（１０８）を包含し、該ダイオード（１０３）は該変圧器の多次側コイル（１０８）により該発光ダイオードモール（１０２）に接続されたことを特徴とする、発光ダイオードの残光回路。
【請求項６】
請求項１記載の発光ダイオードの残光回路（１２０）（１２１）（１２２）（１２３）（１２４）（１２５）（１２６）（１２７）において、該コンデンサ（１０４）が二次電池とされたことを特徴とする、発光ダイオードの残光回路。
【請求項７】
請求項２、３或いは４のいずれかに記載の発光ダイオードの残光回路（１２５）（１２６）（１２７）において、カソードで該ダイオード（１０３）に接続されたツェナダイオード（１３０）、該ツェナダイオード（１３０）のアノードに接続された抵抗器（１１７）、該抵抗器（１１７）に直列に接続された抵抗器（１１８）、及びベースで該抵抗器（１１７）と該抵抗器（１１８）の間に接続されると共にコレクタで該トランジスタ（１１１）のベースに接続されたトランジスタ（１１９）であって、該トランジスタ（１１９）のエミッタは該抵抗器（１１８）の該抵抗器（１１７）から離れた一端に接続されると共に接地された上記トランジスタ（１１９）を包含することを特徴とする、発光ダイオードの残光回路。
【発明の詳細な説明】
【技術分野】
【０００１】
本発明は一種の回路、特に、発光ダイオード照明装置に利用される残光回路に関する。
【背景技術】
【０００２】
近年、半導体テクノロジーの勃興発展により、発光ダイオードの製造技術がますます成熟し、現在の発光ダイオードはすでに、照明の光源として使用でき、発光ダイオードの具備する節電、小体積、長い使用寿命、高い安定性、低い残光性及び高い点灯応答性の特徴により、現在は蛍光灯の代わりとなる発光ダイオード発光モジュールが発展し、市場に受け入れられており、伝統的なバルブ或いは灯管にとってかわる傾向にある。
【０００３】
たとえば、特許文献１において、一種のＬＥＤ照明装置が提供されており、それは上蓋、底蓋および側蓋が結合されることで、照明に影響を与えずに、ＬＥＤ発光モジュールの防護性を高める効果を達成し、これにより伝統的なバルブ或いは灯管にとってかわりつつある。
【先行技術文献】
【特許文献】
【０００４】
【特許文献１】台湾実用新案第Ｍ３８０４２５号
【発明の概要】
【発明が解決しようとする課題】
【０００５】
しかし、発光ダイオードは特性上、残光性が低く、一旦照明装置に応用されると、灯光が消えた後、環境を照らす光線が瞬間的に完全になくなり、環境が暗すぎとなり、人の目は短時間内に環境を識別できないので、このときに活動すると、非常に事故が発生しやすく、このため、安全上の心配と使用上の不便があり、改善の必要がある。
【０００６】
すなわち、本発明の主要な目的は、周知の発光ダイオード照明装置が、有効な残光を提供できず、使用上の不便と安全上の心配を形成する問題を解決することにある。
【課題を解決するための手段】
【０００７】
上述の目的を達成するため、本発明は発光ダイオードの残光回路を提供し、該発光ダイオードの残光回路は発光ダイオードモールに接続され、該発光ダイオードモールは切り換え式パワーアダプタの出力端に接続される。該発光ダイオードの残光回路の特徴は、ダイオード、コンデンサ、ツェナダイオード、抵抗器及び発光ダイオード残光モールを包含する。該ダイオードのアノードは該発光ダイオードモールに接続され、該コンデンサは該ダイオードのカソードに接続され、該ツェナダイオードは該ダイオードのカソードに接続され、且つ該ツェナダイオードはさらに該コンデンサと並列に接続され、該抵抗器は該ダイオードのカソードに接続され、且つ該抵抗器はさらに該ツェナダイオードと並列に接続され、該発光ダイオード残光モールは該抵抗器に直列に接続される。
【発明の効果】
【０００８】
以上の技術手段により、本発明は少なくとも以下の長所を有する。
一．該切り換え式パワーアダプタの出力端により該発光ダイオードモールの電源が切断された後、本発明は該残光回路の発光ダイオード残光モールにより数秒間から数分間の残光を提供でき、空間輪郭を照明し、使用者がもともといた空間を離れるのに便利である。
二．本発明は該ダイオード、該コンデンサ、該ツェナダイオード、該抵抗器及び該発光ダイオード残光モールで構成された残光回路であり、構造が簡単で、製造コストが低く、発光ダイオード定電流回路の要求に符合する。
【図面の簡単な説明】
【０００９】
【図１】本発明の第１実施例の電気回路表示図である。
【図２】本発明の第２実施例の電気回路表示図である。
【図３】本発明の第３実施例の電気回路表示図である。
【図４】本発明の第４実施例の電気回路表示図である。
【図５】本発明の第５実施例の電気回路表示図である。
【図６】本発明の第６実施例の電気回路表示図である。
【図７】本発明の第７実施例の電気回路表示図である。
【図８】本発明の第８実施例の電気回路表示図である。
【図９】本発明の第９実施例の電気回路表示図である。
【発明を実施するための形態】
【００１０】
本発明の目的は、一般の発光ダイオード照明器具の、消灯の後に、環境を照らす光線がなく、環境が暗すぎになり、人の目が環境を識別できず、事故を発生しやすくなる問題を解決することにある。ゆえに、本発明の残光は人の目を助け、数秒又は数分間の時間内に、正確な方向を識別できるようにし、安全感をアップする。
【００１１】
発光ダイオード照明器具の開発と応用に伴い、本発明が提供する発光ダイオードの残光回路（１２０）は、図１に示されるようであり、第１実施例中、切り換え式パワーアダプタ（１０１）の出力端は、発光ダイオードモール（１０２）に接続され、発光ダイオードモール（１０２）はダイオード（１０３）のアノードに接続され、ダイオード（１０３）のカソードはコンデンサ（１０４）に接続され、さらにツェナダイオード（１０５）のカソードに並列に接続され、さらに、抵抗器（１０６）と発光ダイオード残光モール（１０７）が直列された回路に並列に接続され、こうして回路接続が完成される。
【００１２】
第１実施例の動作原理は以下のようである。商用電源が導通させられた後、発光ダイオード照明器具は、切り換え式パワーアダプタ（１０１）の駆動により、発光ダイオードモール（１０２）を点灯する。この輝度は、照明器具が行う主照明の輝度であり、発光ダイオードモール（１０２）上の直流電圧はダイオード（１０３）により、きわめて短時間内にコンデンサ（１０４）に対して充電する。コンデンサ（１０４）をツェナダイオード（１０５）に並列接続する目的は、コンデンサ（１０４）の電圧値を固定し、各一回の放電時間を固定することにある。使用者が商用電源を切断後に、発光ダイオードモール（１０２）の輝度は消滅し、この時、コンデンサ（１０４）は抵抗器（１０６）と発光ダイオード残光モール（１０７）に対して放電し、発光ダイオード残光モール（１０７）を点灯させる。この時の輝度は残光の輝度であり、コンデンサ（１０４）の放電が終了するまで、数秒又は数分間の時間内維持される。そのうち、抵抗器（１０６）は直列接続され限流抵抗とされ、放電時間はコンデンサ（１０４）と発光ダイオード残光モール（１０７）の抵抗により決定される。
【００１３】
ここで説明を補充しなければならないが、切り換え式パワーアダプタ（１０１）は、各種の異なる構造の切り換え式パワーアダプタを採用可能であり、コンデンサ（１０４）はスーパーコンデンサ或いは二次電池に交換可能であり、発光ダイオード残光モール（１０７）は各種の波長、色温、色の発光ダイオードモールに交換可能である。
【００１４】
ＲＣ回路充電放電原理から分かるように、放電の電流値は指数型放電を現出し、電流値の大きさは時間と共に変化し、光線は放電時間内に輝度が暗すぎから激烈に転じることになり、これにより、電流値の異なる問題を解決するため、図２に示されるような第２実施例を提供する。発光ダイオードの残光回路（１２１）は、切り換え式パワーアダプタ（１０１）の出力端が、発光ダイオードモール（１０２）に接続され、発光ダイオードモール（１０２）はダイオード（１０３）のアノードに接続され、ダイオード（１０３）のカソードはコンデンサ（１０４）に接続され、さらにツェナダイオード（１０５）のカソードに並列に接続され、さらに抵抗器（１０６）と発光ダイオード残光モール（１０７）が直列された回路に並列接続され、発光ダイオード残光モール（１０７）はトランジスタ（１１１）のコレクタに接続され、そのエミッタは抵抗器（１１２）とトランジスタ（１１０）のベースに接続され、トランジスタ（１１０）のコレクタはさらにトランジスタ（１１１）のベースと抵抗器（１０９）に接続され、抵抗器（１０９）はさらに抵抗器（１０６）、ツェナダイオード（１０５）のカソード、コンデンサ（１０４）とダイオード（１０３）のカソードの共同接点に接続される。
【００１５】
第２実施例の動作原理は以下のようである。使用者が商用電源切断後に、発光ダイオードモール（１０２）の輝度は消滅し、このとき、コンデンサ（１０４）が発光ダイオード残光モール（１０７）に対して放電し、発光ダイオード残光モール（１０７）を点灯させ、トランジスタ（１１１）のベースとエミッタは抵抗器（１１２）に並列接続されているため、ベースとエミッタの電圧は固定電圧値となり、これにより、抵抗器（１１２）を流れる電流は固定値となり、これにより、トランジスタ（１１１）のコレクタ電流は固定値となり、発光ダイオード残光モール（１０７）の電流が固定され、発光強度も固定され、このときの輝度は残光の輝度とされ、残光の時間は、コンデンサ（１０４）の放電電圧が発光ダイオードの順方向バイアス電圧より低くなるまで数秒或いは数分間維持され、放電の電流値は放電が終了するまで指数型放電を現出する。
【００１６】
図３を参照されたい。図３は本発明の第３実施例を示す。発光ダイオードの残光回路（１２２）において、切り換え式パワーアダプタ（１０１）の出力端は発光ダイオードモール（１０２）に接続され、発光ダイオードモール（１０２）はダイオード（１０３）のアノードに接続され、ダイオード（１０３）のカソードはコンデンサ（１０４）に接続され、さらにツェナダイオード（１０５）のカソードに並列接続され、さらに抵抗器（１０６）と発光ダイオード残光モール（１０７）の直列された回路に並列接続される。発光ダイオード残光モール（１０７）はトランジスタ（１１１）のコレクタに接続され、そのエミッタは抵抗器（１１２）に接続され、抵抗器（１１２）の別端は接地され、トランジスタ（１１１）のベースは抵抗器（１０９）に接続され、抵抗器（１０９）はさらに、抵抗器（１０６）、ツェナダイオード（１０５）のカソード、コンデンサ（１０４）とダイオード（１０３）のカソードの共同接点に接続され、ダイオード（１１３）のカソードはダイオード（１１４）のアノードに直列接続され、ダイオード（１１３）のアノードはトランジスタ（１１１）のベースと抵抗器（１０９）の接点に接続され、ダイオード（１１４）のカソードは接地する。
【００１７】
第３実施例の動作原理は以下のようである。ダイオード（１１３）の順方向バイアス電圧とトランジスタ（１１１）のベースとエミッタの順方向バイアス電圧が同じであると仮定すると、ダイオード（１１３）とトランジスタ（１１１）のベースとエミッタの順方向バイアス電圧は相殺され、もう一つのダイオード（１１４）の順方向バイアス電圧は抵抗器（１１２）に等価並列接続され、これにより、抵抗器（１１２）を流れる電流は固定値とされ、トランジスタ（１１１）のコレクタ電流は固定値とされ、発光ダイオード残光モール（１０７）の電流は固定され、発光強度も固定される。このときの輝度は残光の輝度であり、コンデンサ（１０４）の放電電圧が発光ダイオードの順方向バイアス電圧より低くなるまで、数秒或いは数分間の時間維持される。放電の電流値は放電終了まで指数型放電を現出する。
【００１８】
図４を参照されたい。図４は本発明の第４実施例を示す。発光ダイオードの残光回路（１２３）は、切り換え式パワーアダプタ（１０１）の出力端が発光ダイオードモール（１０２）に接続され、発光ダイオードモール（１０２）がダイオード（１０３）のアノードに接続され、ダイオード（１０３）のカソードはコンデンサ（１０４）に接続され、さらにツェナダイオード（１０５）のカソードに並列接続され、さらに抵抗器（１０６）と発光ダイオード残光モール（１０７）が直列された回路に並列接続され、発光ダイオード残光モール（１０７）はトランジスタ（１１１）のコレクタに接続され、そのエミッタは抵抗器（１１２）に接続され、抵抗器（１１２）の別端は接地し、トランジスタ（１１１）のベースは抵抗器（１０９）に接続され、抵抗器（１０９）はさらに抵抗器（１０６）、ツェナダイオード（１０５）のカソード、コンデンサ（１０４）とダイオード（１０３）のカソードの共同接点に接続され、ツェナダイオード（１１５）のカソードはトランジスタ（１１１）のベースと抵抗器（１０９）の接点に接続され、ツェナダイオード（１１５）のアノードは接地する。
【００１９】
第４実施例の動作原理は以下のようである。ツェナダイオード（１１５）の逆方向バイアス電圧はトランジスタ（１１１）のベースとエミッタの順方向バイアス電圧と同じで固定電圧値とされ、ツェナダイオード（１１５）の逆方向バイアス電圧よりトランジスタ（１１１）のベースとエミッタの順方向バイアス電圧を引いた残りの逆方向バイアス電圧は、抵抗器（１１２）に等価並列接続され、これにより抵抗器（１１２）を流れる電流は固定値とされ、これによりトランジスタ（１１１）のコレクタ電流は固定値となり、発光ダイオード残光モール（１０７）の電流が固定され、発光強度も固定される。このときの輝度は残光の輝度であり、コンデンサ（１０４）の放電電圧が発光ダイオードの順方向バイアス電圧より低くなるまで、数秒又は数分間維持され、放電の電流値は、放電終了まで指数型放電を現出する。
【００２０】
本発明の直流電圧源は、さらに、変圧器のコイルに変更可能である。図５を参照されたい。図５は本発明の第５実施例を示し、発光ダイオードの残光回路（１２４）によると、変圧器の多次側コイル（１０８）が該ダイオード（１０３）のアノードに接続され、該ダイオード（１０３）は、該変圧器の多次側コイル（１０８）により該発光ダイオードモール（１０２）に接続され、該変圧器の多次側コイル（１０８）より直接電圧源が提供される。
【００２１】
このほか、説明を補充しておくべきこととして、該変圧器の多次側コイル（１０８）は同様に第２実施例、第３実施例、及び第４実施例に応用可能である。
【００２２】
さらに、本発明の直流電圧源は、直流電圧を含む回路により提供されるよう変更できる。図６は本発明の第６実施例であり、電圧安定化のためのコンデンサ（１１６）と発光ダイオードの残光回路（１２０）が並列接続され、且つ該切り換え式パワーアダプタ（１０１）中に電気的に接続され、該コンデンサ（１１６）より直接電圧源が提供され、該コンデンサ（１１６）もまた、第２実施例、第３実施例、及び第４実施例中に応用可能である。
【００２３】
発光ダイオード残光モール（１０７）の波長、色温度、色選択を考慮する時、もし主光源である発光ダイオードモール（１０２）と異なるなら、もとの灯光特性に影響を与え得る。このため、さらに、主光源の発光ダイオードモール（１０２）が点灯する時に、発光ダイオード残光モール（１０７）が消灯し、主光源発光ダイオードモール（１０２）が消灯する時でなければ、発光ダイオード残光モール（１０７）が点灯できないように設計される。
【００２４】
図７は本発明の第７実施例、図８は、本発明の第８実施例、図９は本発明の第９実施例を示し、第７実施例は第２実施例に、第８実施例は第３実施例に、及び第９実施例は第４実施例に、それぞれ抵抗器（１１７）、抵抗器（１１８）及びトランジスタ（１１９）を増加し、それぞれ発光ダイオードの残光回路（１２５）、発光ダイオードの残光回路（１２６）及び発光ダイオードの残光回路（１２７）を形成している。
【００２５】
そのうち、抵抗器（１１７）はツェナダイオード（１３０）を介して該ダイオード（１０３）のアノードに接続され、これにより、ツェナダイオード（１３０）のカソードが発光ダイオードモール（１０２）の入力端とダイオード（１０３）のアノードに接続され、抵抗器（１１７）の一端はツェナダイオード（１３０）のアノードに接続され、別端は抵抗器（１１８）とトランジスタ（１１９）のベースに接続され、トランジスタ（１１８）の別端は接地し、トランジスタ（１１９）のコレクタはトランジスタ（１１１）のベースに接続され、トランジスタ（１１９）のエミッタは接地する。
【００２６】
こうして、発光ダイオードモール（１０２）の点灯時に、抵抗器（１１７）と抵抗器（１１８）が分圧し、トランジスタ（１１９）が導通状態とされ、トランジスタ（１１１）のベースが接地端に接続され得て、トランジスタ（１１１）動作が停止状態とされ、発光ダイオード残光モール（１０７）に電流流入がないので発光せず、主光源の発光ダイオードモール（１０２）の灯光特性に影響を与えず、同時にコンデンサ（１０４）が一定時間のあいだに電荷を充満し、電源スイッチがオフとされるか電力システムが停電すると、抵抗器（１１７）と抵抗器（１１８）の電圧降下がなく、トランジスタ（１１９）が停止状態となり、トランジスタ（１１１）のベースはそれ以上接地端に接続せず、トランジスタ（１１１）が導通状態となり、その後の動作原理は、第２実施例、第３実施例及び第４実施例の説明のとおりである。
【００２７】
さらに説明すべきこととして、上述の実施例中、トランジスタ（１１０）、トランジスタ（１１１）及びトランジスタ（１１９）で構成された回路に関しては、ここではｎｐｎトランジスタを例として説明しているが、これに限定されるわけではなく、ｐｎｐトランジスタ或いはＭＯＳＦＥＴのパワースイッチ素子で形成した等価回路に交換可能である。
【００２８】
総合すると、本発明はダイオード、コンデンサ、ツェナダイオード、抵抗器及び発光ダイオード残光モールの設置により、切り換え式パワーアダプタの出力端で発光ダイオードモールの電源を切断した後、本発明は該残光回路の発光ダイオード残光モールにより数秒間から数分間の残光を提供し、空間輪郭を照らしだし、使用者がもともといた空間を離れるのに便利であり、さらに、本発明は構造が簡単で、製造コストが低く、発光ダイオード定電流回路の要件に符合する。
【００２９】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００３０】
（１２０）、（１２１）、（１２２）、（１２３）、（１２４）、（１２５）、（１２６）、（１２７）発光ダイオードの残光回路
（１０１）切り換え式パワーアダプタ
（１０２）発光ダイオードモール
（１０３）ダイオード
（１０４）コンデンサ
（１０５）ツェナダイオード
（１０６）抵抗器
（１０７）発光ダイオード残光モール
（１０８）変圧器の多次側コイル
（１０９）抵抗器
（１１０）トランジスタ
（１１１）トランジスタ
（１１２）抵抗器
（１１３）ダイオード
（１１４）ダイオード
（１１５）ツェナダイオード
（１１７）抵抗器
（１１８）抵抗器
（１１９）トランジスタ
（１３０）ツェナダイオード
【図１】
2013004960.tif 000003
【図２】
2013004960.tif 000004
【図３】
2013004960.tif 000005
【図４】
2013004960.tif 000006
【図５】
2013004960.tif 000007
【図６】
2013004960.tif 000008
【図７】
2013004960.tif 000009
【図８】
2013004960.tif 000010
【図９】
2013004960.tif 000011